(57)【要約】【課題】接点間の接触信頼性を確保できる接点機構および電磁継電器を提供すること。【解決手段】接点機構が、第１，第２固定接点（３３ａ，３３ｂ）と、第１，第２固定接点（３３ａ，３３ｂ）の各々に接触または開離する接離方向に移動可能な第１，第２可動接点（３４ａ，３４ｂ）と、を備えている。第１固定接点（３３ａ）および第１可動接点（３４ａ）は、接離方向に交差する方向が互いに対向する方向となるように設けられ、第２固定接点（３３ｂ）および第２可動接点（３４ｂ）は、接離方向に交差する方向が互いに対向する方向となるように設けられている。【選択図】図５
2017195161.tif 000002
【特許請求の範囲】
【請求項１】
第１，第２固定接点と、
前記第１，第２固定接点の各々に対向し、かつ、前記第１，第２固定接点の各々に接触または開離する接離方向に移動可能な第１，第２可動接点と、
を備え、
前記第１固定接点および前記第１可動接点は、前記接離方向に交差する方向が互いに対向する方向となるように設けられ、前記第２固定接点および前記第２可動接点は、前記接離方向に交差する方向が互いに対向する方向となるように設けられている、接点機構。
【請求項２】
前記第１，第２可動接点を電気的に接続する可動接触子をさらに備え、
前記第１，第２固定接点および前記第１，第２可動接点が、前記可動接触子の中心を通り、かつ、前記接離方向に伸びる直線に対して対称になるように設けられている、請求項１に記載の接点機構。
【請求項３】
前記第１，第２可動接点の各々が、前記第１，第２固定接点に接触する凸曲面を有する、請求項１または２に記載の接点機構。
【請求項４】
前記第１，第２固定接点の各々が、前記第１，第２可動接点に接触する凸曲面を有する、請求項１から３のいずれか１つに記載の接点機構。
【請求項５】
請求項１から４のいずれか１つに記載の接点機構を備えた電磁継電器。
【発明の詳細な説明】
【技術分野】
【０００１】
本発明は、接点機構、および、これを備えた電磁継電器に関する。
【背景技術】
【０００２】
特許文献１に開示されている電磁継電器は、一対の固定接点と、この一対の固定接点の各々に接触または開離する一対の可動接点と、一対の可動接点を連結する可動接触子とを備え、一対の固定接点および可動接点の間に補助ヨークが設けられている。
【０００３】
前記電磁継電器では、接点間が導通して電流が流れたときに発生する電磁反発力を補助ヨークの吸引力により打ち消すことで、接点間の接触信頼性を確保している。
【先行技術文献】
【特許文献】
【０００４】
【特許文献１】特許５５５９６６２号公報
【発明の概要】
【発明が解決しようとする課題】
【０００５】
本発明者らは、特許文献１を含む先行技術に開示されていない、接点間の接触信頼性を確保できる新たな手段を見出した。
【０００６】
すなわち、本発明は、接点間の接触信頼性を確保できる接点機構および電磁継電器を提供することを課題とする。
【課題を解決するための手段】
【０００７】
本発明の接点機構は、前記課題を解決すべく、
第１，第２固定接点と、
前記第１，第２固定接点の各々に対向し、かつ、前記第１，第２固定接点の各々に接触または開離する接離方向に移動可能な第１，第２可動接点と、
を備え、
前記第１固定接点および前記第１可動接点は、前記接離方向に交差する方向が互いに対向する方向となるように設けられ、前記第２固定接点および前記第２可動接点は、前記接離方向に交差する方向が互いに対向する方向となるように設けられている。
【０００８】
本発明の実施形態としては、前記第１，第２可動接点を電気的に接続する可動接触子をさらに備え、前記第１，第２固定接点および前記第１，第２可動接点が、前記可動接触子の中心を通り、かつ、前記接離方向に伸びる直線に対して対称になるように設けられている構成としてもよい。
【０００９】
本発明の実施形態としては、前記第１，第２可動接点の各々が、前記第１，第２固定接点に接触する凸曲面を有する構成してもよい。
【００１０】
本発明の実施形態としては、前記第１，第２固定接点の各々が、前記第１，第２可動接点に接触する凸曲面を有する構成としてもよい。
【００１１】
また、本発明の電磁継電器は、前記接点機構を備えている。
【発明の効果】
【００１２】
本発明の接点機構によれば、固定接点および可動接点が接触して通電したときに、固定接点および可動接点が接触または開離する方向に交差する方向に電磁反発力が発生する。このため、固定接点および可動接点が開離する方向に働く電磁反発力が低減され、固定接点および可動接点間の接触信頼性を確保できる。
【００１３】
また、本発明の電磁継電器によれば、前記接点機構を備えているので、固定接点および可動接点間の接触信頼性を確保できる。
【図面の簡単な説明】
【００１４】
【図１】本発明の一実施形態の接点機構を備えた電磁継電器の斜視図である。
【図２】図１のII−II線に沿った断面図である。
【図３】図１の電磁継電器の接点機構部の斜視図である。
【図４】図３の接点機構部の開状態を示す正面図である。
【図５】図３の接点機構部の閉状態を示す正面図である。
【図６】図１の電磁継電器の接点機構部の第１の変形例を示す斜視図である。
【図７】図６の接点機構部の開状態を示す正面図である。
【図８】図６の接点機構部の閉状態を示す正面図である。
【図９】図１の電磁継電器の接点機構部の第２の変形例を示す斜視図である。
【図１０】図９の接点機構部の開状態を示す正面図である。
【図１１】図９の接点機構部の閉状態を示す正面図である。
【図１２】図１の電磁継電器の接点機構部の第３の変形例を示す斜視図である。
【図１３】図１２の接点機構部の開状態を示す正面図である。
【図１４】図１２の接点機構部の閉状態を示す正面図である。
【図１５】図１の電磁継電器の接点機構部の第４の変形例を示す斜視図である。
【図１６】図１５の接点機構部の開状態を示す正面図である。
【図１７】図１５の接点機構部の閉状態を示す正面図である。
【図１８】図１の電磁継電器の接点機構部の第４の変形例を示す斜視図である。
【図１９】図１８の接点機構部の開状態を示す正面図である。
【図２０】図１８の接点機構部の閉状態を示す正面図である。
【図２１】図１の電磁継電器の接点機構部の第５の変形例を示す斜視図である。
【図２２】図２１の接点機構部の開状態を示す正面図である。
【図２３】図２１の接点機構部の閉状態を示す正面図である。
【発明を実施するための形態】
【００１５】
以下、本発明の一実施形態を添付図面に従って説明する。なお、以下の説明では、必要に応じて特定の方向あるいは位置を示す用語（例えば、「上」、「下」、「右」、「左」を含む用語）を用いるが、それらの用語の使用は図面を参照した発明の理解を容易にするためであって、それらの用語の意味によって本発明の技術的範囲が限定されるものではない。また、以下の説明は、本質的に例示に過ぎず、本発明、その適用物、あるいは、その用途を制限することを意図するものではない。さらに、図面は模式的なものであり、各寸法の比率等は現実のものとは必ずしも合致していない。
【００１６】
図１に示すように、本発明の一実施形態の電磁継電器１００は、ケース１０とカバー２０とで構成されたハウジング１を備えている。このハウジング１の内部には、図２に示すように、接点機構部３０と、この接点機構部３０を駆動する電磁石部４０とが収納されている。
【００１７】
なお、図２の左右方向をＸ方向とし、図２の上下方向をＺ方向とする。また、このＸ，Ｚ方向に直交する方向をＹ方向とする。
【００１８】
ケース１０は、図１に示すように、矩形の箱形状を有している。また、このケース１０は、図２に示すように、Ｚ方向の上側に開口部を有し、その内部に接点機構部３０の一部と電磁石部４０とを収納できるように形成されている。
【００１９】
ケース１０のＹ方向の側面には、図１に示すように、コイル端子４３が突出する端子溝１１と、ケース１０およびカバー２０を固定するための係止孔１２とが設けられている。
【００２０】
カバー２０は、図１に示すように、矩形の箱形状を有し、ケース１０の開口部を覆うように取り付けられている。また、このカバー２０は、図２に示すように、Ｚ方向の下側に開口部を有し、その内部に接点機構部３０の一部を収納できるように形成されている。
【００２１】
カバー２０のＺ方向上側の面には、Ｘ方向の略中央に設けられ、かつ、Ｙ方向に伸びる仕切り壁２１が設けられている。この仕切り壁２１のＸ方向の両側には、固定端子３１ａ，３１ｂが突出する端子孔２２がそれぞれ設けられている。なお、図示していないが、カバー２０の開口部には、ケース１０の係止孔１２と共にケース１０とカバー２０とを固定するための係止爪が設けられている。
【００２２】
接点機構部３０は、図２に示すように、Ｘ方向に沿って間隔を空けて配置された第１，第２固定端子３１ａ，３１ｂと、第１，第２固定端子３１ａ，３１ｂに対向するように配置された可動接触子３２とで構成されている。
【００２３】
第１，第２固定端子３１ａ，３１ｂの各々は、図３に示すように、略円柱形状を有している。第１，第２固定端子３１ａ，３１ｂの各々のＺ方向下側の端面には、図４に示すように、周縁からＺ方向下側に向かって傾斜する傾斜面が設けられている。この傾斜面に、第１，第２固定接点３３ａ，３３ｂが設けられている。第１，第２固定接点３３ａ，３３ｂの各々は、Ｚ方向に沿って見た平面視において、略円形状を有している。
【００２４】
可動接触子３２は、図４に示すように、可動軸３５が設けられている中央部３２１と、この中央部３２１のＸ方向の両側からＸ方向に沿って伸びる第１，第２接触部３２２，３２３とで構成されている。第１接触部３２２は、Ｚ方向上側に凸曲面を有している。第１接触部３２２の凸曲面は、Ｘ方向の左側に向かってＺ方向下側に湾曲している。この第１接触部３２２の凸曲面に、第１可動接点３４ａが設けられている。また、第２接触部３２３は、Ｚ方向上側に凸曲面を有している。第２接触部３２３の凸曲面は、Ｘ方向の右側に向かってＺ方向下側に湾曲している。この第２接触部３２３の凸曲面に、第２可動接点３４ｂが設けられている。
【００２５】
第１，第２可動接点３４ａ，３４ｂは、第１，第２固定接点３３ａ，３３ｂに対向するように配置され、可動接触子３２によって相互に電気的に接続されている。また、第１，第２可動接点３４ａ，３４ｂは、可動接触子３２のＺ方向の往復移動により、第１，第２固定接点３３ａ，３３ｂに接触または開離するようになっている。可動軸３５は、可動接触子３２の略中央に設けられ、Ｚ方向の下側に向かって伸びている。
【００２６】
なお、第１，第２固定端子３１ａ，３１ｂおよび第１，第２可動接点３４ａ，３４ｂは、可動軸３５に対して対称に配置されている。
【００２７】
また、図５に示すように、第１固定接点３３ａおよび第１可動接点３４ａは、第１可動接点３４ａが第１固定接点３３ａに接触または開離する接離方向（Ｚ方向）に対してθ１の角度を成す方向が、互いに対向する方向となっている。一方、第２固定接点３３ｂおよび第２可動接点３４ｂは、Ｚ方向に対してθ２の角度を成す方向が、互いに対向する方向となっている。
【００２８】
また、ハウジング１の内部には、図２に示すように、筒状のフランジ５１と、セラミックプレート５２と、板状の第１ヨーク５３と、有底筒体５４とが設けられている。フランジ５１およびセラミックプレート５２は、カバー２０の内部に配置されており、第１ヨーク５３および有底筒体５４は、ケース１０の内部に配置されている。
【００２９】
フランジ５１は、Ｚ方向の上下に開口部を有している。
【００３０】
セラミックプレート５２は、フランジ５１のＺ方向上側の開口部を塞ぐように配置されている。このセラミックプレート５２には、端子孔５２１が設けられている。この端子孔５２１には、固定端子３１ａ，３１ｂが挿入され、ロウ付けされている。
【００３１】
第１ヨーク５３は、フランジ５１のＺ方向下側の開口部を塞ぐように配置されている。この第１ヨーク５３の中央部には、開口部５３１が設けられている。この開口部５３１には、可動軸３５が挿入されている。
【００３２】
有底筒体５４は、第１ヨーク５３からケース１０の底部まで伸びており、第１ヨーク５３の開口部５３１を覆うように配置されている。この有底筒体５４の内部には、可動軸３５と、第１ヨーク５３に固定された固定鉄心５７と、可動軸３５の先端（Ｚ方向下側の端部）に固定された可動鉄心５８とが収納されている。固定鉄心５７と可動鉄心５８との間には、復帰バネ５９が設けられている。
【００３３】
フランジ５１、セラミックプレート５２、および、第１ヨーク５３は、一体化されており、第１ヨーク５３および有底筒体５４は、気密接合されている。これにより、フランジ５１、セラミックプレート５２、第１ヨーク５３、および、有底筒体５４の内部には、密閉空間が形成されている。この密閉空間に、第１，第２固定接点３３ａ，３３ｂと第１，第２可動接点３４ａ，３４ｂとが配置されている。
【００３４】
また、フランジ５１の内部の密閉空間には、一対の永久磁石５５，５５とアーク用シールド部材６１とが設けられている。
【００３５】
一対の永久磁石５５，５５は、相互に対向し、かつ、フランジ５１の内部のＸ方向の両端に、一対の固定接点３３ａ，３３ｂおよび一対の可動接点３４ａ，３４ｂを挟むように配置されている。一対の永久磁石５５，５５は、絶縁材からなる磁石ホルダ５６により保持されている。この磁石ホルダ５６は、第１ヨーク５３のＺ方向上側の面に沿って可動軸３５まで伸びている。この磁石ホルダ５６と可動接触子３２との間には、可動軸３５に保持されているばね受け皿３７と、このばね受け皿３７と可動接触子３２との間に配置されたコイルばね３５とが設けられている。このコイルばね３５の内部には、可動軸３５が配置されている。
【００３６】
アーク用シールド部材６１は、一対の固定接点３３ａ，３３ｂおよび可動接点３４ａ，３４ｂのＹ方向の両側（図２の奥側および手前側）と、Ｘ方向の外側（隣接する永久磁石５５に近い側）を覆うように配置されている。アーク用シールド部材６１のＸ方向の外側には、永久磁石５５の磁束を通過させるためのスペース（図示せず）が形成されている。
【００３７】
電磁石部４０は、図２に示すように、スプール４１と、このスプール４１に巻回されているコイル４２と、スプール４１に固定されたコイル端子４３（図１に示す）とで構成されている。
【００３８】
スプール４１は、内部に有底筒体５４が配置された胴部４１１と、この胴部４１１の両端に設けられた鍔部４１２とを有している。このスプール４１は、第１ヨーク５３のＺ方向下側の面と接するように配置されている。コイル４２は、胴部４１１に巻回されており、コイル端子４３は、Ｚ方向上側の鍔部４１２に固定されている。なお、コイル４２は、リード線を介在させることなく、コイル端子４３に直接巻き付けられている。
【００３９】
また、ハウジング１の内部には、断面略Ｕ字形状の第２ヨーク４４が設けられている。この第２ヨーク４４は、第１ヨーク５３に接続され、第１ヨーク５３と共に電磁石部４０を囲むように、ケース１０の内部に配置されている。
【００４０】
次に、図５を参照して、第１，第２固定接点３３ａ，３３ｂおよび第１，第２可動接点３４ａ，３４ｂが接触して通電したときに発生する電磁反発力について説明する。
【００４１】
図５に示すように、可動接触子３２をＺ方向上側に移動させていくと、第１固定接点３３ａのＸ方向右側の傾斜面と第１可動接点３４ａとが接触し、第２固定接点３３ｂのＸ方向左側の傾斜面と第２可動接点３４ｂとが接触して、導通する。
【００４２】
このとき、第１固定接点３３ａと第１可動接点３４ａとの間には、Ｚ方向（第１可動接点３４ａが第１固定接点３３ａに接触または開離する接離方向）に対してθ１の角度を成す方向に、電磁反発力Ｆ１が発生し、第２固定接点３３ｂと第２可動接点３４ｂとの間には、Ｚ方向（第２可動接点３４ｂが第２固定接点３３ｂに接触または開離する接離方向）に対してθ２の角度を成す方向に、電磁反発力Ｆ２が発生する。
【００４３】
従って、第１固定接点３３ａおよび第１可動接点３４ａが開離する方向（Ｚ方向）に働く電磁反発力は、発生した電磁反発力Ｆ１のＺ方向の分力となり、第２固定接点３３ｂおよび第２可動接点３４ｂを開放する方向に働く電磁反発力は、発生した電磁反発力Ｆ２のＺ方向の分力となる。すなわち、第１，第２固定接点３３ａ，３３ｂおよび第１，第２可動接点３４ａ，３４ｂが開離する方向に働く電磁反発力が低減され、第１，第２固定接点３３ａ，３３ｂおよび第１，第２可動接点３４ａ，３４ｂ間の接触信頼性を確保できる。
【００４４】
また、第１，第２固定接点３３ａ，３３ｂおよび第１，第２可動接点３４ａ，３４ｂが、可動接触子３２の中心を通り、かつ、Ｚ方向に伸びる可動軸３５に対して対称になるように設けられている。このため、第１固定接点３３ａおよび第１可動接点３４ａ間で発生する電磁反発力Ｆ１のＸ方向の分力は、第２固定接点３３ｂおよび第２可動接点３４ｂ間で発生する電磁反発力Ｆ２のＸ方向の分力と同じ大きさであり、かつ、反対方向に働く。すなわち、第１固定接点３３ａおよび第１可動接点３４ａ間で発生する電磁反発力Ｆ１のＸ方向の分力は、第２固定接点３３ｂおよび第２可動接点３４ｂ間で発生する電磁反発力Ｆ２のＸ方向の分力によって相殺される。これにより、第１，第２固定接点３３ａ，３３ｂおよび第１，第２可動接点３４ａ，３４ｂ間の接触信頼性が向上する。
【００４５】
さらに、第１，第２可動接点３４ａ，３４ｂの各々が、可動接触子３２の第１，第２接触部３２２，３２３の凸曲面に設けられている。すなわち、第１，第２可動接点３４ａ，３４ｂの各々に、第１，第２固定接点３３ａ，３３ｂに接触する凸曲面が設けられている。これにより、第１，第２固定接点３３ａ，３３ｂと第１，第２可動接点３４ａ，３４ｂとが一点で接触するので、電磁反発力を所望の方向に高い精度で発生させることができる。
【００４６】
（その他の実施形態）
前記実施形態では、第１，第２固定接点３３ａ，３３ｂの各々に傾斜面を設け、第１，第２可動接点３４ａ，３４ｂの各々に凸曲面を設けたが、これに限らない。例えば、図６〜図８に示すように、第１，第２固定接点１３３ａ，１３３ｂの各々に凸曲面を設け、第１，第２可動接点１３４ａ，１３４ｂの各々に傾斜面を設けてもよい。
【００４７】
この実施形態では、可動接触子３２が、中央部３２１からＸ方向の両側に伸びる第１，第２接触部３２４，３２５を有している。第１，第２接触部３２４の各々は、Ｚ方向の上側に、中央部３２１からＺ方向の下側に向かって傾斜する傾斜面を有し、この傾斜面に、第１，第２可動接点１３４ａ，１３４ｂが設けられている。
【００４８】
このように、第１，第２固定接点１３３ａ，１３３ｂの各々に、第１，第２可動接点１３４ａ，１３４ｂに接触する凸曲面を設けた場合であっても、第１，第２固定接点１３３ａ，１３３ｂと第１，第２可動接点１３４ａ，１３４ｂとが一点で接触するので、電磁反発力を所望の方向に高い精度で発生させることができる。
【００４９】
また、例えば、第１，第２固定接点および第１，第２可動接点は、図９〜図１１に示す第１，第２固定接点２３３ａ，２３３ｂおよび第１，第２可動接点３４ａ，３４ｂであってもよい。
【００５０】
この実施形態では、第１固定端子３１ａのＺ方向下側の端面に、Ｘ方向の左側から右側に向かって、Ｚ方向上側に傾斜する傾斜面が設けられ、この傾斜面に第１固定接点２３３ａが設けられている。また、第２固定端子３１ｂのＺ方向下側の端面に、Ｘ方向の右側から左側に向かって、Ｚ方向上側に傾斜する傾斜面が設けられ、この傾斜面に第２固定接点２３３ｂが設けられている。
【００５１】
また、例えば、第１，第２固定接点および第１，第２可動接点は、図１２〜図１４に示す第１，第２固定接点１３３ａ，１３３ｂおよび第１，第２可動接点２３４ａ，２３４ｂであってもよい。
【００５２】
この実施形態では、可動接触子３２が、中央部３２１からＸ方向の両側に伸びる第１，第２接触部３２６，３２７を有している。第１，第２接触部３２６，３２７の各々は、中央部３２１と同じ（Ｚ方向の）厚さを有し、このＺ方向上側の面に第１，第２可動接点２３４ａ，２３４ｂが設けられている。第１，第２可動接点２３４ａ，２３４ｂの各々は、第１，第２固定接点１３３ａ，１３３ｂに向かって僅かに膨出する凸曲面を有している。また、第１，第２可動接点２３４ａ，２３４ｂの各々は、そのＸ方向の中心が、第１，第２固定接点１３３ａ，１３３ｂの中心よりも可動軸３５側に位置するように配置されている。
【００５３】
また、例えば、第１，第２固定接点および第１，第２可動接点は、図１５〜図１７に示す第１，第２固定接点３３３ａ，３３３ｂおよび第１，第２可動接点３４ａ，３４ｂであってもよい。
【００５４】
この実施形態では、第１，第２固定端子１３１ａ，１３１ｂの各々が、円柱形状の鍔部３１１ａ，３１１ｂと、この鍔部３１１ａ，３１１ｂのＺ方向下側の面に設けられた接触部３１２ａ，３１２ｂとで構成されている。接触部３１２ａ，３１２ｂの各々は、Ｚ方向に沿って伸びる直線部と、この直線部のＺ方向の下端から可動軸３５に向かってＺ方向上側に傾斜する傾斜部とで構成されている。第１固定端子１３１ａの接触部３１２ａの傾斜部のＺ方向下側の面には、第１固定接点３３３ａが設けられている。また、第２固定端子１３１ｂの接触部３１２ｂの第２直線部のＺ方向下側の面には、第２固定接点３３３ｂが設けられている。
【００５５】
また、例えば、第１，第２固定接点および第１，第２可動接点は、図１８〜図２０に示す第１，第２固定接点４３３ａ，４３３ｂおよび第１，第２可動接点３４ａ，３４ｂであってもよい。
【００５６】
この実施形態では、第１，第２固定端子１３１ａ，１３１ｂの各々が、円柱形状の鍔部３１１ａ，３１１ｂと、この鍔部３１１ａ，３１１ｂのＺ方向下側の面に設けられた接触部３１３ａ，３１３ｂとで構成されている。接触部３１３ａ，３１３ｂの各々は、Ｚ方向に沿って伸びる直線部と、この直線部のＺ方向の下端から可動軸３５から離れる方向に向かってＺ方向下側に傾斜する傾斜部とで構成されている。第１固定端子１３１ａの接触部３１３ａの傾斜部のＺ方向下側の面には、第１固定接点４３３ａが設けられている。また、第２固定端子１３１ｂの接触部３１３ｂの第２直線部のＺ方向下側の面には、第２固定接点４３３ｂが設けられている。
【００５７】
また、例えば、第１，第２固定接点および第１，第２可動接点は、図２１〜図２３に示す第１，第２固定接点３３３ａ，３３３ｂおよび第１，第２可動接点３３４ａ，３３４ｂであってもよい。
【００５８】
この実施形態では、可動接触子３２が、中央部３２１からＸ方向の両側に伸びる第１，第２接触部３２８，３２９を有している。第１接触部３２８は、Ｚ方向上側に凸曲面を有している。第１接触部３２８の凸曲面は、Ｘ方向の左側に向かってＺ方向上側に湾曲している。この第１接触部３２８の凸曲面に、第１可動接点３３４ａが設けられている。また、第２接触部３２９は、Ｚ方向上側に凸曲面を有している。第２接触部３２９の凸曲面は、Ｘ方向の右側に向かってＺ方向上側に湾曲している。この第２接触部３２９の凸曲面に、第２可動接点３３４ｂが設けられている。
【００５９】
このように、第１，第２固定接点および第１，第２可動接点は、第１，第２可動接点の第１，第２固定接点への接離方向に交差する方向が互いに対向する方向となっており、通電時に発生する電磁反発力が、第１，第２可動接点の第１，第２固定接点への接離方向に交差する方向に発生するものであれば、任意に構成することができる。
【００６０】
例えば、第１固定接点および第１可動接点間に発生する電磁反発力の方向と第１可動接点の接離方向とが成す角度θ１と、第２固定接点および第２可動接点間に発生する電磁反発力の方向と第２可動接点の接離方向とが成す角度θ２とは、同じであってもよいし、異なっていてもよい。
【００６１】
第１，第２固定接点３３ａ，３３ｂおよび第１，第２可動接点３４ａ，３４ｂは、可動軸３５に対して非対称に配置してもよい。
【００６２】
第１可動接点３４ａの接離方向と第２可動接点３４ｂの接離方向は、同じ方向であっても、異なる方向であってもよい。
【００６３】
前記実施形態で述べた構成要素は、適宜、組み合わせてもよく、また、適宜、選択、置換、あるいは、削除してもよいことは、勿論である。
【産業上の利用可能性】
【００６４】
本発明の接点機構および電磁継電器は、前記実施形態に限らず、他の電磁継電器に適用することができる。
【符号の説明】
【００６５】
１  ハウジング
１０  ケース
１１  端子溝
１２  係止孔
２０  カバー
２１  仕切り壁
２２  端子孔
３０  接点機構部
３１  固定端子
３２  可動接触子
３２１  中央部
３２２，３２４，３２６，３２８  第１接触部
３２３，３２５，３２７，３２９  第２接触部
３３ａ，１３３ａ，１３３ａ，２３３ａ，３３３ａ，４３３ａ  第１固定接点
３３ｂ，１３３ｂ，１３３ｂ，２３３ｂ，３３３ｂ，４３３ｂ  第２固定接点
３４ａ，１３４ａ，２３４ａ，３３４ａ  第１可動接点
３４ｂ，１３４ｂ，２３４ｂ，３３４ｂ  第２可動接点
３５  可動軸
３６  コイルばね
４０  電磁石部
４１  スプール
４１１  胴部
４１２  鍔部
４２  コイル
４３  コイル端子
４４  第２ヨーク
５１  フランジ
５２  セラミックプレート
５２１  端子孔
５３  第１ヨーク
５３１  開口部
５４  有底筒体
５５  永久磁石
５６  磁石ホルダ
５７  固定鉄心
５８  可動鉄心
５９  復帰バネ
６１  アーク用シールド部材
１００  電磁継電器
Ｆ１  第１固定接点および第１可動接点間で発生する電磁反発力
Ｆ２  第２固定接点および第２可動接点間で発生する電磁反発力
【図１】
2017195161.tif 000003
【図２】
2017195161.tif 000004
【図３】
2017195161.tif 000005
【図４】
2017195161.tif 000006
【図５】
2017195161.tif 000007
【図６】
2017195161.tif 000008
【図７】
2017195161.tif 000009
【図８】
2017195161.tif 000010
【図９】
2017195161.tif 000011
【図１０】
2017195161.tif 000012
【図１１】
2017195161.tif 000013
【図１２】
2017195161.tif 000014
【図１３】
2017195161.tif 000015
【図１４】
2017195161.tif 000016
【図１５】
2017195161.tif 000017
【図１６】
2017195161.tif 000018
【図１７】
2017195161.tif 000019
【図１８】
2017195161.tif 000020
【図１９】
2017195161.tif 000021
【図２０】
2017195161.tif 000022
【図２１】
2017195161.tif 000023
【図２２】
2017195161.tif 000024
【図２３】
2017195161.tif 000025